(57)【特許請求の範囲】
【請求項１】
電子機器を構成する筐体と、
前記電子機器を構成し、前記筐体に着脱可能に搭載される構成部品と、
前記構成部品を前記筐体に固定するロック機構と、
前記電子機器へのアクセスキーを受信する受信部と、
前記構成部品への人体の近接を感知する感知部と、
受信した前記アクセスキーを認証した後に前記感知部が人体の近接を感知した場合、前記電子機器の立ち下げを実行し、前記電子機器の立ち下げを完了した後に前記ロック機構を解除するように制御する制御部と、
を備える電子システム。
【請求項２】
前記アクセスキーは、ワイヤレスキーによって発生される請求項１記載の電子システム。
【請求項３】
前記感知部は、前記ワイヤレスキーのスイッチがオンとされたことを感知する請求項２記載の電子システム。
【請求項４】
前記感知部は、人体の接触を感知するタッチセンサである請求項１記載の電子システム。
【請求項５】
警告を発信する警告発信部を備え、
前記制御部は、前記アクセスキーを認証することなく前記感知部が人体の近接を感知した場合において前記警告発信部を活性化させる請求項１記載の電子システム。
【請求項６】
筐体と、前記筐体に着脱可能に搭載される構成部品と、前記構成部品を筐体に固定するロック機構とを備える電子機器へのアクセスキーを認証する認証部と、
前記構成部品への人体の近接を感知したことを示す情報を受け取る情報入力部と、
前記アクセスキーを認証した後に人体の近接を感知した場合、前記電子機器の立ち下げを実行し、前記電子機器の立ち下げを完了した後に前記ロック機構を解除するように制御するロック制御部と、
を備える制御装置。
【請求項７】
１または２以上の前記電子機器とネットワークを介して接続される請求項６記載の制御装置。
【請求項８】
前記電子機器中に組み込まれている請求項６記載の制御装置。
【請求項９】
筐体と、前記筐体に着脱可能に搭載される構成部品と、前記構成部品を筐体に固定するロック機構とを備える電子機器へのアクセスキーを認証するステップと、
前記構成部品への人体の近接を感知するステップと、
前記アクセスキーを認証した後に前記人体の近接を感知した場合、前記電子機器の立ち下げを実行し、前記電子機器の立ち下げを完了した後に前記ロック機構を解除するように制御するステップと、
を含むロック解除方法。
【請求項１０】
筐体と、前記筐体に着脱可能に搭載される構成部品と、前記構成部品を筐体に固定するロック機構とを備える電子機器を制御するコンピュータに、
前記電子機器へのアクセスキーを認証する処理と、
前記構成部品への人体の近接を感知する処理と、
前記アクセスキーを認証した後に前記人体の近接を感知した場合、前記電子機器の立ち下げを実行し、前記電子機器の立ち下げを完了した後に前記ロック機構を解除するように制御する処理と、
を実行させるプログラム。
【発明の詳細な説明】
【技術分野】
【０００１】
［関連出願についての記載］
本発明は、日本国特許出願：特願２０１３−０５１８５５号（２０１３年３月１４日出願）に基づくものであり、同出願の全記載内容は引用をもって本書に組み込み記載されているものとする。
本発明は、電子システム、制御装置、ロック解除方法、およびプログラムに係り、特に、電子システムにおける保守技術に係る。
【背景技術】
【０００２】
サーバ装置やパソコンなどの情報処理装置に代表される電子機器では、保守のために様々な工夫がなされている。【０００３】
例えば、特許文献１には、活性交換／停止交換、故障交換／予防交換、交換／増設等を何ら区別することなく保守作業を行え、作業者が誤操作することなく保守を行うことができる保守ガイダンスを行うため、保守対象となり得る複数の部品を表示して、保守対象部品を選択させる部品選択画面表示部と、前記選択画面表示部において選択された保守対象部品についての電源状態または設備状態を判断する状態判断部と、前記状態判断部により判断された判断状態に応じた保守作業指示を行う指示画面表示部とを備える保守ガイダンス表示装置が開示されている。【０００４】
また、特許文献２には、第１の無線発信機と、個人と関連付けるように構成された第２の無線発信機と、認証マネージャとを含む少なくとも１つの電子ユニットを含み、認証マネージャは、第１の無線発信機と第２の無線発信機の少なくとも一方のメモリ内に記憶された保守識別子に関する第１の無線発信機と第２の無線発信機との間の無線通信によって少なくとも１つの電子ユニットに対するアクセスを許可する保守制御システムが開示されている。【０００５】
さらに、特許文献３には、紙幣回収や保守作業に、物理的な鍵よりも複製が極めて困難なＩＣカードで構成の保守カードを利用するようにしたことにより、偽造を防止し、保守カードを持たない者による表扉の開放を不正な開放として不正発覚後の運用を禁止するＩＣカード積増機が開示されている。【０００６】
また、特許文献４には、ハードウェアを複数ユニットに分割するとともに各分割ユニットをプラグイン交換可能なモジュールとして構成するとともに、（１）上記モジュールに個別ＩＤを持たせる、（２）モジュールの装脱着を検知するセンサを設ける、（３）上記センサによってモジュール交換のイベントを検知するとともに、交換モジュールの個別ＩＤを読み取る、（４）モジュール交換のイベントが発生した場合に、交換モジュールの個別ＩＤを含むモジュール交換情報をネットワークを介して管理サーバへ送信するシン・クライアントが開示されている。【０００７】
さらに、特許文献５には、取外しが可能なハードディスク装置を内蔵した情報処理装置において、処理装置固有のホストＩＤ情報をハードディスク装置に通知するコマンド発行手段と、ハードディスク装置の取外しを禁止するロック手段と、ディスク装置に対して取外しの許可を照会するコマンド発行手段と、コマンドの応答に基づき取外しを許可し、ロック手段にロックの解除を指示する取外し制御手段とを設けた情報処理装置が開示されている。
【先行技術文献】
【特許文献】
【０００８】
【特許文献１】再公表特許第２００７／０９６９７１号
【特許文献２】特開２００７−１２０５０号公報
【特許文献３】特開２００６−６５７５１号公報
【特許文献４】特開２００２−３５８２１５号公報
【特許文献５】特開２００１−２２９６１３号公報
【発明の概要】
【発明が解決しようとする課題】
【０００９】
以下の分析は本発明において与えられる。【００１０】
ところで、保守時において、保守技術者が保守対象となる装置を間違えると、稼働している装置における部品等を外してしまい、その装置に障害を発生させる虞がある。また、保守対象装置ではあるが、シャットダウンしていない状態で保守対象装置が稼働中に部品等が外されて、保守対象装置に障害を発生させる虞がある。さらに、保守技術者が保守対象装置の稼働状態を把握してからシャットダウン行うと、確認のための時間がかかり、作業時間が長くなってしまう。最近、電子システムの高度化に伴い保守作業の複雑化が増し、保守の作業性をより向上させることが望まれる。しかしながら、特許文献１〜５で開示されるような技術では、保守の作業性をより向上させるには充分とはいえない。【００１１】
したがって、本発明の目的は、保守の作業性をより向上させることに貢献する、電子システム、制御装置、ロック解除方法、およびプログラムを提供することにある。
【課題を解決するための手段】
【００１２】
本発明の１つのアスペクト（側面）に係る電子システムは、電子機器を構成する筐体と、電子機器を構成し、筐体に着脱可能に搭載される構成部品と、構成部品を筐体に固定するロック機構と、電子機器へのアクセスキーを受信する受信部と、構成部品への人体の近接を感知する感知部と、受信したアクセスキーを認証した後に感知部が人体の近接を感知した場合、電子機器の立ち下げを実行し、電子機器の立ち下げを完了した後にロック機構を解除するように制御する制御部と、を備える。
【００１３】
本発明の他のアスペクト（側面）に係る制御装置は、筐体と、筐体に着脱可能に搭載される構成部品と、構成部品を筐体に固定するロック機構とを備える電子機器へのアクセスキーを認証する認証部と、構成部品への人体の近接を感知したことを示す情報を受け取る情報入力部と、アクセスキーを認証した後に人体の近接を感知した場合、電子機器の立ち下げを実行し、電子機器の立ち下げを完了した後にロック機構を解除するように制御するロック制御部と、を備える。
【００１４】
本発明の別のアスペクト（側面）に係るロック解除方法は、筐体と、筐体に着脱可能に搭載される構成部品と、構成部品を筐体に固定するロック機構とを備える電子機器へのアクセスキーを認証するステップと、構成部品への人体の近接を感知するステップと、アクセスキーを認証した後に人体の近接を感知した場合、電子機器の立ち下げを実行し、電子機器の立ち下げを完了した後にロック機構を解除するように制御するステップと、を含む。
【００１５】
本発明のさらに別のアスペクト（側面）に係るプログラムは、筐体と、筐体に着脱可能に搭載される構成部品と、構成部品を筐体に固定するロック機構とを備える電子機器を制御するコンピュータに、電子機器へのアクセスキーを認証する処理と、構成部品への人体の近接を感知する処理と、アクセスキーを認証した後に人体の近接を感知した場合、電子機器の立ち下げを実行し、電子機器の立ち下げを完了した後にロック機構を解除するように制御する処理と、を実行させる。
【発明の効果】
【００１６】
本発明によれば、電子システムにおける保守の作業性をより向上させることに貢献する。
【図面の簡単な説明】
【００１７】
【図１】第１の実施形態に係る電子システムの構成を模式的に示す図である。
【図２】第１の実施形態に係る電子システムの動作を表すフローチャートである。
【図３】第２の実施形態に係る電子システムの構成を模式的に示す図である。
【図４】第２の実施形態に係る制御装置の構成を示すブロック図である。
【発明を実施するための形態】
【００１８】
以下、一実施形態の概要について説明する。なお、以下の概説に付記した図面参照符号は、専ら理解を助けるための例示であり、図示の態様に限定することを意図するものではない。
【００１９】
一実施形態に係る電子システムは、電子機器（図１の１０）を構成する筐体（図１の１１）と、電子機器を構成し、筐体に着脱可能に搭載される構成部品（図１の１２）と、構成部品を筐体に固定するロック機構（図１の１３）と、電子機器へのアクセスキーを受信する受信部（図１の１４）と、構成部品への人体の近接を感知する感知部（図１の１５）と、受信したアクセスキーを認証した後に感知部が人体の近接を感知した場合において、電子機器の立ち下げを実行した後にロック機構を解除するように制御する制御部（図１の１６）と、を備える。
【００２０】
一実施形態に係る電子システムは、電子システムの稼働中に保守対象の構成部品を取り外すことによる障害発生を防止することに貢献する。また、一実施形態に係る電子システムは、電子システムを立ち下げる手順の確認に係る時間を削減することに貢献する。従って、一実施形態に係る電子システムは、保守における作業性がより向上させることに貢献する。
【００２１】
以下、各実施形態に即し、図面を参照して詳しく説明する。
【００２２】
［実施形態１］
図１は、第１の実施形態に係る電子システムの構成を模式的に示す図である。図１において、電子システム１０は、例えば、パーソナルコンピュータやサーバなどの情報処理装置、各種電子制御装置などである。電子システム１０は、電子システム１０を構成する筐体１１を備え、筐体１１は、構成ユニット１２、ロックユニット１３、ワイヤレスキー受信部１４、タッチセンサ１５、制御ユニット１６、警報発信部１７を備える。
【００２３】
構成ユニット１２は、例えば、ブレード、ディスク、ボードやメモリ等の保守対象部品であって、筐体１１に着脱可能に搭載される。図１では、構成ユニット１２が一台のみである場合を図示しているが、実際には複数台搭載されるのが通例である。
【００２４】
ロックユニット１３は、対応する構成ユニット１２を筐体に固定する機能を有し、制御ユニット１６からの制御信号でロック機構を解除することができる。ロックユニット１３は、例えば、エアシリンダやソレノイド（電磁石）等のアクチュエータで構成され、機械的に外せない様に、例えば、ロックユニット１３は、カバーが外せない様に、カバーの一部の穴にシリンダやソレノイドのロッドを挿入し、ロックするユニットであってもよい。また、ロックユニット１３は、例えば、ばねを内蔵したソレノイド（電磁石）でロック機構を解除（アンロック）するようにしてもよい。例えば、ばねを内蔵した自己復帰型ソレノイドでロックしたり、アンロックを外す又はサーボモータやパルスモータを正転／逆転させてロックしたりアンロックするようにしてもよい。
【００２５】
ワイヤレスキー受信部１４は、図示されない活性化されたワイヤレスキーが近接したことを検知して、制御ユニット１６に対しワイヤレスキーのアクセスキーを出力する。なお、ワイヤレスキーは、電波、近赤外線などの光、磁気誘導、音波などによる所定の信号を発生する。ワイヤレスキーは、セキュリティが求められる為、予め決められた通信エリア（例えば、７０〜１００ｃｍ）の範囲内で、受信できる強度の電波を送信し、その範囲内でのみワイヤレスキーとワイヤレスキー受信部１４間の照合が行われてもよい。
【００２６】
タッチセンサ１５は、対応する構成ユニット１２毎に配置され、人体の接触あるいは近接を感知した場合に、その旨を制御ユニット１６に対して出力する。タッチセンサ１５は、構成ユニット１２に設置されていてもよい。タッチセンサ１５は、例えば、静電容量型の近接センサ、距離を限定して検出する光学センサ等であってもよい。
【００２７】
制御ユニット１６は、ワイヤレスキー受信部１４から出力されたアクセスキーを認証した後に、タッチセンサ１５が保守担当者などの人体の接触あるいは近接を感知した場合において、定められた手順で電子システム１０の立ち下げを実行し、その後に、制御ユニット１６は、タッチセンサ１５に対応するロックユニット１３を解除するように制御する。制御ユニット１６は、内蔵するコンピュータにプログラムを実行させることでこのような機能を実現するようにしてもよい。
【００２８】
警報発信部１７は、制御ユニット１６がアクセスキーを認証することなくタッチセンサ１５が人体の近接を感知した場合において制御ユニット１６によって活性化され、音、光などの警報を発する。警報発信部１７は、例えば、内蔵のサウンドボードであってもよい。
【００２９】
次に、以上のような構成の電子システム１０の動作について説明する。図２は、電子システム１０の動作を表すフローチャートである。
【００３０】
ステップＳ１において、ロックユニット１３がロック状態に無ければ、そのまま処理を終了する。ロックユニット１３がロック状態にある場合には、ステップＳ２に進む。
【００３１】
ステップＳ２において、ワイヤレスキーがＩＤ（Identification）あるいは認証キーの信号を含んだ所定の信号（アクセスキー）を発信する。
【００３２】
ステップＳ３において、ワイヤレスキー受信部１４は、ワイヤレスキーが発したＩＤあるいは認証キーの信号を受信する。
【００３３】
ステップＳ４において、制御ユニット１６は、ワイヤレスキー受信部１４から出力されたアクセスキーを予め登録されている認証キーと照合し認証する。
【００３４】
ステップＳ５において、制御ユニット１６は、アクセスキーが認証キーと一致しない場合には、処理を終了し、アクセスキーが認証キーと一致した場合には、ステップＳ６に進む。
【００３５】
ステップＳ６において、制御ユニット１６は、ロックユニット１３を開放可能となるようにスタンバイ状態に設定する。
【００３６】
ステップＳ７において、タッチセンサ１５は、人体の接触あるいは近接を感知する。すなわち、保守担当者が保守対象装置の部品等を外そうとすると、保守担当者の手等をタッチセンサ１５で検出する。
【００３７】
ステップＳ８において、制御ユニット１６は、電子システム１０の立ち下げを所定の手順で実行する。
【００３８】
ステップＳ９において、制御ユニット１６は、ロックユニット１３を開放状態とし、一連の処理を終了する。
【００３９】
以上のように動作する電子システム１０によれば、アクセスキーの認証とタッチセンサの感知とを併用し、所望の保守対象の構成ユニットのロックを解除することができる。したがって、保守担当者が保守対象となる装置を間違えて、稼働しているＩＴ（インフォメーション  テクノロジー）機器（サーバ装置やパソコン等）の部品等を外してしまい、そのＩＴ機器に障害を発生させたりするようなことが無い。
【００４０】
また、保守対象の装置ではあるが、シャットダウンしないにも拘らず、保守担当者が稼働中に部品等を外してしまい、障害を発生させたりすることが無い。
【００４１】
さらに、制御ユニット１６は、保守対象の装置の稼働状態を把握しながらシャットダウンを行い、その後において保守担当者が部品等を外すことができるので、作業時間が必要以上に長くなることが無い。
【００４２】
また、本実施形態に係る電子システム１０においては、保守担当者は、ワイヤレスキー等を持たずに、あるいは、保守対象装置外のワイヤレスキーを持って、保守対象装置のロック解除を行い、保守対象装置の中の部品等を交換するようにカバー等のロックを外すことができない。したがって、本実施形態に係る電子システム１０は、関係者外による部品等の取り外しや交換、部品等の盗難を防止することができる。この際、本実施形態に係る電子システム１０は、内蔵のサウンドボードなどの警報発信部１７よってブザー音を鳴らすことで、盗難防止の警告としたり、保守対象装置の間違い防止を知らせることができる。
【００４３】
本実施形態に係る電子システム１０は、電子システム１０の稼働中に保守対象の構成ユニット１２を取り外すことによる障害発生を防止することに貢献する。また、本実施形態に係る電子システム１０は、電子システム１０を立ち下げる手順確認に係る時間を削減することに貢献する。
【００４４】
［実施形態２］
図３は、第２の実施形態に係る電子システムの構成を模式的に示す図である。図３において、電子システム２０は、デスクトップＰＣ２１ａ、サーバ装置２１ｂ、制御装置２６を備える。制御装置２６と、情報処理装置であるデスクトップＰＣ２１ａ、サーバ装置２１ｂのそれぞれとは、ネットワークで接続される。
【００４５】
デスクトップＰＣ２１ａは、第１の実施形態で説明した電子システム１０に相当する。ただし、図１の制御ユニット１６は、制御装置２６としてネットワークを介して接続される装置とされる。デスクトップＰＣ２１ａは、図１のロックユニット１３に相当するロックユニット２３ａ、図１のタッチセンサ１５に相当するタッチセンサ２５ａを内蔵し、図１のワイヤレスキー受信部１４に相当するワイヤレスキー受信装置２４ａをデスクトップＰＣ２１ａの近傍あるいは内部に配置する。
【００４６】
ワイヤレスキー受信装置２４ａは、ワイヤレスキー３０が発信する特定の信号を受信した場合に、制御装置２６にその旨を通知する。この場合、ワイヤレスキー３０が発信する信号は、デスクトップＰＣ２１ａを特定する情報を含む。
【００４７】
サーバ装置２１ｂは、第１の実施形態で説明した電子システム１０に相当し、制御装置２６とネットワークを介して接続される。サーバ装置２１ｂは、図１のロックユニット１３に相当するロックユニット２３ｂ、図１のタッチセンサ１５に相当するタッチセンサ２５ｂを内蔵し、図１のワイヤレスキー受信部１４に相当するワイヤレスキー受信装置２４ｂをサーバ装置２１ｂの近傍あるいは内部に配置する。
【００４８】
ワイヤレスキー受信装置２４ｂは、ワイヤレスキー３０が発信する特定の信号を受信した場合に、制御装置２６にその旨を通知する。この場合、ワイヤレスキー３０が発信する信号は、サーバ装置２１ｂを特定する情報を含む。
【００４９】
なお、図３では、ロックユニット２３ａ、２３ｂ、タッチセンサ２５ａ、２５ｂ、ワイヤレスキー受信装置２４ａ、２４ｂがそれぞれ制御装置２６とネットワークを介して直接接続されるように図示されている。しかし、これはあくまで論理的な接続を意味するものであって、実際にはデスクトップＰＣ２１ａあるいはサーバ装置２１ｂを介して物理的に接続されるのが通例である。
【００５０】
次に、制御装置２６について説明する。図４は、制御装置２６の構成を示すブロック図である。制御装置２６は、認証部２７、情報入力部２８、ロック制御部２９を備える。
【００５１】
認証部２７は、ワイヤレスキー受信装置２４ａ、２４ｂから入力したアクセスキーを認証する。
【００５２】
情報入力部２８は、タッチセンサ２５ａ、２５ｂへの人体の近接を感知したことを示す情報を受け取る。
【００５３】
ロック制御部２９は、認証部２７がアクセスキーを認証した後に情報入力部２８が人体の近接を感知した情報を受け取った場合において、認証および近接の対象であるデスクトップＰＣ２１ａあるいはサーバ装置２１ｂの立ち下げを実行した後に、ロックユニット２３ａ、２３ｂを解除するように制御する。
【００５４】
ここで、制御装置２６は、立ち下げに関し、保守対象となる装置やシステムに対し、リモートからシャットダウン等で行っても良く、立ち下げコマンドを送信しても良い。あるいは、保守対象装置がローカルコンピュータまたはリモートコンピュータであって、シャットダウンの指示を行うコマンドを送信しても良い。また、ＬＡＮ（Local Area Network）接続されているパソコンやサーバ装置に、立ち下げを行うツールをインストールしておいても良い。
【００５５】
また、制御装置２６は、保守対象装置が立ち下がった（シャットダウンした）ことを、シャットダウン指示や立ち下げ処理指示を行ってから、所定時間経過したことで判断しても良い。また、制御装置２６は、保守対象装置から出力される信号等が出なくなったこと、所定の電圧以下になったこと、あるいは、シャットダウンが完了した旨の信号を出す別付けの装置からの信号を受けることなどによって、保守対象装置が立ち下がったと判断しても良い。
【００５６】
そして、制御装置２６は、保守対象装置が立ち下がったと判断すると、保守対象装置の中の回路基板や部品等を外せない様に機械的にロックしているロックを外す。
【００５７】
本実施形態に係る電子システム２０においても、デスクトップＰＣ２１ａあるいはサーバ装置２１ｂと、制御装置２６とが第１の実施形態に係る電子システム１０と同様に動作し、第１の実施形態と同様に障害発生の防止および手順確認に係る時間の削減が可能である。また、複数台の情報処理装置が連携して同期を取っている場合、各情報処理装置の電源の落とし方、シャットダウンの方法は、予め定められる順序で行わなければならない。この場合に、保守担当者がシャットダウンの方法を知らなくとも、制御装置２６が、定められた方法で各情報処理装置のシャットダウンを行うので、保守担当者の作業に長時間を要しない。すなわち、制御装置２６が、情報処理装置の接続を自動認識して、情報処理装置の接続に応じ予め決められた各情報処理装置のシャットダウンの順番を制御することにより、シャットダウンが可能となる。
【００５８】
さらに、制御装置２６は、ネットワークを介して接続される複数台の情報処理装置（デスクトップＰＣ２１ａおよびサーバ装置２１ｂ）を集中して制御するので、大規模なシステムでは、システム構成における冗長性が低減される。
【００５９】
なお、上記の実施形態の一部または全部は、以下の形態のようにも記載されうるが、以下に限定されるものではない。
【００６０】
（形態１）
電子機器を構成する筐体と、
前記電子機器を構成し、前記筐体に着脱可能に搭載される構成部品と、
前記構成部品を前記筐体に固定するロック機構と、
前記電子機器へのアクセスキーを受信する受信部と、
前記構成部品への人体の近接を感知する感知部と、
受信した前記アクセスキーを認証した後に前記感知部が人体の近接を感知した場合において、前記電子機器の立ち下げを実行した後に前記ロック機構を解除するように制御する制御部と、
を備える電子システム。
【００６１】
（形態２）
前記アクセスキーは、ワイヤレスキーによって発生される形態１記載の電子システム。
【００６２】
（形態３）
前記感知部は、前記ワイヤレスキーのスイッチがオンとされたことを感知する形態２記載の電子システム。
【００６３】
（形態４）
前記感知部は、人体の接触を感知するタッチセンサである形態１記載の電子システム。
【００６４】
（形態５）
警告を発信する警告発信部を備え、
前記制御部は、前記アクセスキーを認証することなく前記感知部が人体の近接を感知した場合において前記警告発信部を活性化させる形態１記載の電子システム。
【００６５】
（形態６）
筐体と、前記筐体に着脱可能に搭載される構成部品と、前記構成部品を筐体に固定するロック機構とを備える電子機器へのアクセスキーを認証する認証部と、
前記構成部品への人体の近接を感知したことを示す情報を受け取る情報入力部と、
前記アクセスキーを認証した後に人体の近接を感知した場合において、前記電子機器の立ち下げを実行した後に前記ロック機構を解除するように制御するロック制御部と、
を備える制御装置。
【００６６】
（形態７）
１または２以上の前記電子機器とネットワークを介して接続される形態６記載の制御装置。
【００６７】
（形態８）
前記電子機器中に組み込まれている形態６記載の制御装置。
【００６８】
（形態９）
筐体と、前記筐体に着脱可能に搭載される構成部品と、前記構成部品を筐体に固定するロック機構とを備える電子機器へのアクセスキーを認証するステップと、
前記構成部品への人体の近接を感知するステップと、
前記アクセスキーを認証した後に前記人体の近接を感知した場合において、前記電子機器の立ち下げを実行した後に前記ロック機構を解除するように制御するステップと、
を含むロック解除方法。
【００６９】
（形態１０）
筐体と、前記筐体に着脱可能に搭載される構成部品と、前記構成部品を筐体に固定するロック機構とを備える電子機器を制御するコンピュータに、
前記電子機器へのアクセスキーを認証する処理と、
前記構成部品への人体の近接を感知する処理と、
前記アクセスキーを認証した後に前記人体の近接を感知した場合において、前記電子機器の立ち下げを実行した後に前記ロック機構を解除するように制御する処理と、
を実行させるプログラム。
【００７０】
なお、前述の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の全開示の枠内において種々の開示要素（各請求項の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００７１】
１０、２０  電子システム
１１  筐体
１２  構成ユニット
１３、２３ａ、２３ｂ  ロックユニット
１４  ワイヤレスキー受信部
２４ａ、２４ｂ  ワイヤレスキー受信装置
１５、２５ａ、２５ｂ  タッチセンサ
１６  制御ユニット
１７  警報発信部
２１ａ  デスクトップＰＣ
２１ｂ  サーバ装置
２６  制御装置
２７  認証部
２８  情報入力部
２９  ロック制御部
３０  ワイヤレスキー
【図１】
0006049109.tif 000002
【図２】
0006049109.tif 000003
【図４】
0006049109.tif 000004
【図３】
0006049109.tif 000005